(57)【要約】【課題】放電電圧が低くなり，輝度及び発光効率が向上したプラズマディスプレイパネル（ＰＤＰ）を提供する。【解決手段】本発明によれば，所定間隔をおいて配置された前面基板３０及び背面基板４０と，上記の両基板間に形成された複数の隔壁４４により定義される複数の放電空間４８と，前面基板３０に互いに平行に形成される複数の第１及び第２維持電極３１ａ，３１ｂと，上記維持電極それぞれを覆うように形成され，互いに離隔されている複数の第１及び第２誘電体層３２ａ，３２ｂと，背面基板４０に上記維持電極と直交する方向に形成される複数のアドレス電極４１と，アドレス電極４１を覆う第３誘電体層４３と，放電空間４８に設けられる蛍光体層４５とを備え，誘電体層は維持電極の双方に対して平行に形成され，誘電体層間に所定の幅の第１離隔空間３４ａと，第１離隔空間３４ａよりも広い幅の第２離隔空間３４ｂとが設けられるＰＤＰが提供される。【選択図】図３
2006049314.tif 000002
【特許請求の範囲】
【請求項１】
所定間隔をおいて配置された前面基板および背面基板と；
前記前面基板と背面基板との間に形成された複数の隔壁により定義される，複数の放電空間と；
前記前面基板の前記背面基板と相対する面に互いに平行に形成される複数の第１維持電極及び第２維持電極と；
前記第１維持電極及び第２維持電極それぞれの一部もしくは全部を覆うように形成され，互いに離隔されている複数の第１誘電体層及び第２誘電体層と；
前記背面基板の前記前面基板と相対する面に，前記第１維持電極及び第２維持電極と直交する方向に形成される複数のアドレス電極と；
前記アドレス電極の一部もしくは全体を覆う第３誘電体層と；
前記放電空間に設けられる蛍光体層と；
を具備し，
前記第１及び第２誘電体層は，所定の間隔を有するように前記第１及び第２維持電極の双方に対して平行な方向に形成され，
前記第１誘電体層及び第２誘電体層の間に所定の幅を有する第１離隔空間と，前記第１離隔空間よりも広い幅を有する第２離隔空間が設けられることを特徴とする，プラズマディスプレイパネル。
【請求項２】
前記第１及び第２誘電体層は，同じ厚さに形成されることを特徴とする，請求項１に記載のプラズマディスプレイパネル。
【請求項３】
前記第２離隔空間を前記前面基板に対して平行に切断した断面の形状が，略楕円形形状もしくは略円形形状であることを特徴とする，請求項１に記載のプラズマディスプレイパネル。
【請求項４】
所定間隔をおいて配置された前面基板および背面基板と；
前記前面基板と背面基板との間に形成された複数の隔壁により定義される，複数の放電空間と；
前記前面基板の前記背面基板と相対する面に互いに平行に形成される複数の第１維持電極及び第２維持電極と；
前記第１維持電極及び第２維持電極それぞれの一部もしくは全部を覆うように形成される第１誘電体層と；
前記背面基板の前記前面基板と相対する面に，前記第１維持電極及び第２維持電極と直交する方向に形成される複数のアドレス電極と；
前記アドレス電極の一部もしくは全体を覆う第３誘電体層と；
前記アドレス電極の上部に，所定の幅を持って前記第３誘電体層を介して前記アドレス電極と平行に形成されて，前記アドレス電極上にリッジ部を形成する第４誘電体層と；
前記放電空間に設けられる蛍光体層と；
を具備することを特徴とする，プラズマディスプレイパネル。
【請求項５】
前記第３誘電体層と前記第４誘電体層とが，一体形成されることを特徴とする，請求項４に記載のプラズマディスプレイパネル。
【請求項６】
所定間隔をおいて配置された前面基板および背面基板と；
前記前面基板と背面基板との間に形成された複数の隔壁により定義される，複数の放電空間と；
前記前面基板の前記背面基板と相対する面に互いに平行に形成される複数の第１維持電極及び第２維持電極と；
前記第１維持電極及び第２維持電極それぞれの一部もしくは全部を覆うように形成される第１誘電体層と；
前記背面基板の前記前面基板と相対する面に，前記第１維持電極及び第２維持電極と直交する方向に形成される複数のアドレス電極と；
前記アドレス電極の一部もしくは全体を覆う第３誘電体層と；
前記放電空間に設けられる蛍光体層と；
を具備し，
前記アドレス電極の長手方向に伸びた一側単部が，前記隔壁と前記背面基板との間に形成されることを特徴とする，プラズマディスプレイパネル。
【発明の詳細な説明】
【技術分野】
【０００１】
本発明は，プラズマディスプレイに係り，より詳細には，放電電圧が低くなり，輝度及び発光効率が向上するプラズマディスプレイパネルに関する。
【背景技術】
【０００２】
電気的放電を利用して画像を形成するプラズマディスプレイパネル（Ｐｌａｓｍａ  Ｄｉｓｐｌａｙ  Ｐａｎｅｌ：ＰＤＰ）は，輝度や視野角などの表示性能に優れている。このようなＰＤＰは，電極に印加される直流または交流電圧によって，放電空間内でガス放電が起こり，ガス放電時に発生する紫外線によって蛍光体が励起され，この時，可視光が放出される。
【０００３】
図１は，従来の反射型ＰＤＰの概略的な斜視図であり，図２は，図１に示す反射型ＰＤＰの内部構造を示す垂直断面図である。図２では，ＰＤＰの内部構造を容易に示すために，背面基板が９０゜回転した状態で図示されている。
【０００４】
図１及び図２を共に参照すれば，前面基板１０と背面基板２０とが互いに対向して配置され，上記の背面基板２０に設けられる隔壁２４により，上記の前面基板１０と背面基板２０との間に所定の間隔が維持される。したがって，上記の前面基板１０，背面基板２０及び隔壁２４により取り囲まれた放電空間２８が形成されることとなる。
【０００５】
上記の前面基板１０の背面基板２０と相対する面に，面放電のための複数の維持電極対１１ａ，１１ｂが形成される。このような維持電極対１１ａ，１１ｂは，前面基板１０への可視光透過を考慮して，ＩＴＯ（Ｉｎｄｉｕｍ  Ｔｉｎ  Ｏｘｉｄｅ）のような透明伝導性物質で形成される。また，上記の維持電極対１１ａ，１１ｂの電気抵抗を減らすために，維持電極対１１ａ，１１ｂ上に狭い幅のバス電極対１２ａ，１２ｂが形成される。バス電極対１２ａ，１２ｂは，Ａｇ，ＡｌまたはＣｕのような金属材料で形成される。このような維持電極対１１ａ，１１ｂ及びバス電極対１２ａ，１２ｂは，第１誘電体層１３の内部に埋め込まれ，上記の第１誘電体層１３上に保護層１４が形成される。
【０００６】
上記の背面基板２０の前面基板１０と相対する面に，上記の維持電極対１１ａ，１１ｂと直交する方向に複数のアドレス電極２１が形成され，このアドレス電極２１は，第２誘電体層２３の内部に埋め込まれる。また，第２誘電体層２３上に，所定の高さを持つ複数の隔壁２４が所定の間隔で離隔されて互いに平行に形成され，上記の隔壁２４の側面及び第２誘電体層２３上に，蛍光体層２５が形成される。
【発明の開示】
【発明が解決しようとする課題】
【０００７】
しかしながら，このような構造を持つＰＤＰには，次のような問題点があった。
【０００８】
第１の問題点は，放電維持電極間の間隔が長くなればガス放電効率が高くなるが，高い放電電圧が要求されるという点である。
【０００９】
第２の問題点は，放電空間内に放電ガスの分圧が高くなればガス放電効率が高くなるが，高い放電電圧が要求されるという点である。
【００１０】
したがって，上記のような問題点から，放電電圧が低くなり，かつ輝度及び発光効率が向上しうるＰＤＰの構造改善が希求されていた。
【００１１】
そこで，本発明は，このような問題に鑑みてなされたもので，その目的は，放電電圧が低くなり，かつ輝度及び発光効率が向上した，新規かつ改良されたＰＤＰを提供することにある。
【課題を解決するための手段】
【００１２】
上記課題を解決するために，本発明のある観点によれば，所定の間隔をおいて配置された前面基板および背面基板と，上記の前面基板と背面基板との間に形成された複数の隔壁により定義される，複数の放電空間と，前面基板の背面基板と相対する面に互いに平行に形成される複数の第１維持電極及び第２維持電極と，第１維持電極及び第２維持電極それぞれの一部もしくは全部を覆うように形成され，互いに離隔されている複数の第１誘電体層及び第２誘電体層と，上記の背面基板の前面基板と相対する面に，第１維持電極及び第２維持電極と直交する方向に形成される複数のアドレス電極と，アドレス電極の一部もしくは全体を覆う第３誘電体層と，放電空間に設けられる蛍光体層とを具備し，上記の第１及び第２誘電体層は，所定の間隔を有するように第１維持電極及び第２維持電極の双方に対して平行な方向に形成され，上記の第１及び第２誘電体層の間に所定の幅を有する第１離隔空間と，第１離隔空間よりも広い幅を有する第２離隔空間が設けられたＰＤＰが提供される。
【００１３】
ここで，上記の第１誘電体層と第２誘電体層は，同じ厚さに形成されることも可能である。
【００１４】
また，上記の第２離隔空間を前面基板に対して平行に切断した断面図の形状が，略楕円形形状もしくは略円形形状に設けられることもできる。
【００１５】
上記課題を解決するために，本発明の別の観点によれば，所定の間隔をおいて配置された前面基板および背面基板と，上記の前面基板と背面基板との間に形成された複数の隔壁により定義される，複数の放電空間と，上記の前面基板の背面基板と相対する面に互いに平行に形成される複数の第１維持電極及び第２維持電極と，上記の第１維持電極及び第２維持電極それぞれの一部もしくは全部を覆うように形成される第１誘電体層と，上記の背面基板の前面基板と相対する面に，第１維持電極及び第２維持電極と直交する方向に形成される複数のアドレス電極と，上記のアドレス電極の一部もしくは全体を覆う第３誘電体層と，このアドレス電極の上部に，所定の横幅を持って上記の第３誘電体層を介してアドレス電極と平行に形成され，アドレス電極上にリッジ部を形成する第４誘電体層と，放電空間に設けられる蛍光体層とを具備するＰＤＰが提供される。
【００１６】
ここで，上記の第３誘電体層と第４誘電体層とは，一体形成されることも可能である。
【００１７】
上記課題を解決するために，本発明の更に別の観点によれば，所定の間隔をおいて配置された前面基板および背面基板と，上記の前面基板と背面基板との間に形成されされた複数の隔壁により定義される，複数の放電空間と，上記の前面基板の背面基板と相対する面に互いに平行に形成される複数の第１維持電極及び第２維持電極と，上記の第１維持電極及び第２維持電極それぞれの一部もしくは全部を覆うように形成される第１誘電体層と，上記の背面基板の前面基板と相対する面に，第１維持電極及び第２維持電極と直交する方向に形成される複数のアドレス電極と，このアドレス電極の一部もしくは全体を覆う第３誘電体層と，上記の放電空間に設けられる蛍光体層とを具備し，上記のアドレス電極の長手方向に伸びた一側端部が，上記の隔壁と上記の背面基板との間に形成されるＰＤＰが提供される。
【発明の効果】
【００１８】
以上説明したように，本発明によれば，放電空間で強い電場が得られるために放電電圧が低くなり，かつ輝度及び発光効率が向上するＰＤＰを提供することができる。
【発明を実施するための最良の形態】
【００１９】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２０】
図３は，本発明の第１実施形態による反射型ＰＤＰの斜視図であり，図４は，図３における誘電体層間の離隔空間の形状を示す，前面基板の斜視図である。
【００２１】
図３及び図４を共に参照すれば，前面基板３０と背面基板４０とが互いに対向して配置され，背面基板４０に設けられた隔壁４４により，前面基板３０と背面基板４０との間に所定の間隔が維持される。したがって，前面基板３０，背面基板４０，及び隔壁４４により取り囲まれた，複数の放電空間４８が形成されることとなる。
【００２２】
上記の前面基板３０の背面基板４０と相対する面に，複数の第１維持電極３１ａ及び第２維持電極３１ｂが対をなして互いに平行に形成される。上記の第１維持電極３１ａ及び第２維持電極３１ｂは，前面基板３０への可視光透過を考慮して，ＩＴＯのような透明伝導性物質で形成される。このような第１維持電極３１ａ及び第２維持電極３１ｂは，それぞれ互いに離隔されて形成される第１誘電体層及び第２誘電体層３２ａ，３２ｂによって，第１維持電極３１ａおよび第２維持電極３１ｂの一部もしくは全部が覆われ，上記の誘電体層の内部に埋め込まれる。ここで，第１及び第２誘電体層３２ａ，３２ｂは，同じ厚さに形成される。ここで，本発明における第１維持電極及び第２維持電極の材質は，上記のＩＴＯに限定されるわけでなく，他の透明伝導性物質を用いることもできる。
【００２３】
上記の背面基板４０の前面基板３０と相対する面に，第１維持電極３１ａ及び第２維持電極３１ｂの双方に対して直交する方向に複数のアドレス電極４１が形成され，このアドレス電極４１は，第３誘電体層４３によって一部もしくは全部が覆われ，第３誘電体層４３の内部に埋め込まれる。また，上記の第３誘電体層４３上に，所定の高さを持つ複数の隔壁４４が，所定の間隔離隔されて互いに平行に形成され，隔壁４４の側面及び第３誘電体層４３上に，蛍光体層４５が形成される。
【００２４】
図４を参照すると，上記の第１誘電体層３２ａ及び第２誘電体層３２ｂは，上記の第１維持電極３１ａ及び第２維持電極３１ｂの双方に対して平行な方向に形成され，第１誘電体層３２ａ及び第２誘電体層３２ｂの間に，所定の幅を有する第１離隔空間３４ａ，及び第１離隔空間より広い幅を有する３４ｂが備えられる。したがって，上記の第１誘電体層３２ａ及び第２誘電体層３２ｂの間に，部分的に狭い放電空間が設けられることとなる。
【００２５】
上記の第１誘電体層３２ａ及び第２誘電体層３２ｂ間の離隔幅は，第１誘電体層３２ａ及び第２誘電体層３２ｂの間に形成される電場の強度と反比例する。したがって，第１誘電体層３２ａ及び第２誘電体層３２ｂ間の離隔幅が短くなるほど，第１誘電体層３２ａ及び第２誘電体層３２ｂの間で強い電場が形成される。すなわち，狭い幅を有する離隔空間である第１離隔空間３４ａでは，低い放電電圧によっても，容易に放電が開始及び維持されることが可能となる。
【００２６】
また，広い幅を有する離隔空間である第２離隔空間３４ｂでは，高効率のガス放電が誘導され，また，誘電層のない領域が広いために，輝度及び発光効率が向上する。
【００２７】
このような第１離隔空間３４ａ及び第２離隔空間３４ｂがそれぞれ設けられた第１誘電体層３２ａ及び第２誘電体層３２ｂは，例えば，リソグラフィー工程，サンドブラスト工程，またはスクリーン工程等により形成できる。
【００２８】
従来では，維持電極間の間隔を調節して放電電圧を低めようとする努力が試みられたが，本発明の第１実施形態によれば，互いに離隔されて形成された第１誘電体層３２ａ及び第２誘電体層３２ｂ間の間隔を調節して，放電電圧を低める方法が発明された。すなわち，狭い幅を有する第１離隔空間３４ａ及び広い幅を有する第２離隔空間３４ｂが設けられる構造が採択されて，第１誘電体層３２ａ及び第２誘電体層３２ｂの間に部分的に強い電場が形成される放電空間が設けられることによって，放電電圧が低くなると同時に輝度及び発光効率が向上するＰＤＰが製造できる。
【００２９】
図５は，本発明の第２実施形態による反射型ＰＤＰの斜視図であり，図６は，図５における誘電体層間の離隔空間の形状を示す前面基板の斜視図である。本発明の第２実施形態では，前述した第１実施形態と異なる部分についてのみ説明する。また同じ部材については，同じ符号をそのまま使用する。
【００３０】
図５及び図６を共に参照すれば，第２実施形態でも，上記の第１実施形態に図示されたＰＤＰのように，所定の狭い幅を有する第１離隔空間３５ａ及び所定の広い幅を有する第２離隔空間３５ｂが設けられる。ここで本第２実施形態は，第２離隔空間３５ｂが楕円形に設けられることを特徴とする。このような変更は，上述した第１実施形態から容易に理解及び導出できる。
【００３１】
上述した第１実施形態と同様に，第１誘電体層３３ａ及び第２誘電体層３３ｂの間に設けられた狭い幅を有する第１離隔空間３５ａで部分的に強い電場が形成されることによって，放電電圧が低くなると同時に輝度及び発光効率が向上するＰＤＰが製造できる。
【００３２】
図７は，本発明の第３実施形態による反射型ＰＤＰの内部構造を示す垂直断面図である。図７では，ＰＤＰの内部構造を容易に示すために，背面基板が９０゜回転した状態で図示されている。
【００３３】
図７を参照すれば，前面基板５０と背面基板６０とが互いに対向して配置され，背面基板６０に設けられる隔壁６５により，前面基板５０と背面基板６０との間に所定の間隔が維持される。したがって，前面基板５０，背面基板６０，及び隔壁６５により取り囲まれた，複数の放電空間が設けられることとなる。
【００３４】
上記の前面基板５０の背面基板６０と相対する面に，複数の第１維持電極５１ａ及び第２維持電極５１ｂが対をなして互いに平行に形成される。この第１維持電極５１ａ及び第２維持電極５１ｂは，前面基板５０への可視光透過を考慮して，ＩＴＯのような透明伝導性物質で形成される。このような第１維持電極５１ａ及び第２維持電極５１ｂは，第１誘電体層５３の内部に埋め込まれる。ここで，本発明における第１維持電極及び第２維持電極の材質は，上記のＩＴＯに限定されるわけでなく，他の透明伝導性物質を用いることもできる。
【００３５】
上記の背面基板６０の前面基板５０と相対する面に，上記の第１維持電極５１ａ及び第２維持電極５１ｂの双方に対して直交する方向に複数のアドレス電極６１が形成され，このアドレス電極６１は，第３誘電体層６３の内部に埋め込まれる。また，アドレス電極６１上に，所定の横幅を持って上記のアドレス電極６１に対して平行に第４誘電体層６４が形成される。ここで，上記の横幅とは，上記の第１維持電極５１ａ及び第２維持電極５１ｂに対して平行な方向の幅を意味する。この第４誘電体層６４により，アドレス電極６１上にリッジ部６７が形成される。
【００３６】
また，上記の第３誘電体層６３上に，所定の高さを持つ複数の隔壁６５が，所定の間隔離隔されて互いに平行に形成され，隔壁６５の側面，第３誘電体層６３及び第４誘電体層６４上に，蛍光体層６６が形成される。上記の第３誘電体層６３と第４誘電体層６４とは，単一体として形成されることもある。
【００３７】
上記の第４誘電体層６４により形成されたリッジ部６７により，アドレス電極６１と第１維持電極５１ａ及び第２維持電極５１ｂとの間に，部分的に強い電場が形成される放電空間６８ａが形成される。すなわち，放電空間内に，狭い幅を有する放電空間である第１放電空間６８ａ，及び広い幅を有する放電空間である第２放電空間６８ｂが備えられ，第１実施形態で説明したように，第１放電空間６８ａで部分的に強い電場が形成され，放電電圧が低くなると同時に発光効率が向上するＰＤＰが製造できる。
【００３８】
上記の第１放電空間６８ａでは，低いアドレス電圧によっても容易にアドレス放電が開始され，上記の第２放電空間６８ｂでは，高効率のガス放電が誘導されるために，発光効率が向上する。
【００３９】
なお，上記の第３誘電体層６３及び第４誘電体層６４は，例えば，リソグラフィー工程，サンドブラスト工程またはスクリーン工程等により形成できる。
【００４０】
上記のように，アドレス電極上に誘電体層としてリッジ部を形成することによって，アドレス電極と維持電極との間に部分的に狭い放電空間が形成され，この狭い放電空間で強い電場が得られる。したがって，アドレス電圧が低くなり，かつ発光効率が向上する。
【００４１】
図８は，本発明の第４実施形態による反射型ＰＤＰの内部構造を示す垂直断面図である。図８では，ＰＤＰの内部構造を容易に示すために，背面基板が９０゜回転した状態で図示されている。本発明の第４実施形態では，上述した第３実施形態と異なる部分についてのみ説明する。また，同じ部材については，同じ符号をそのまま使用する。
【００４２】
図８を参照すれば，上記の背面基板６０の前面基板５０と相対する面に，第１維持電極５１ａ及び第２維持電極５１ｂの双方に対して直交する方向に複数のアドレス電極６２が形成され，このアドレス電極６２は，第３誘電体層６３の内部に埋め込まれる。また，第３誘電体層６３上に，所定の高さを持つ複数の隔壁６５が，所定の間隔離隔されて互いに平行に形成され，隔壁６５の側面及び第３誘電体層６３上に，蛍光体層６６が形成される。
【００４３】
ここで，本発明の第４実施形態では，図８に示したように，アドレス電極の長手方向に伸びた一側端部が隔壁と背面基板との間に形成され，アドレス電極の長手方向に伸びたもう一方の側端部が蛍光体層と背面基板との間に形成されることを特徴とする。このように，アドレス電極６２の一部分が隔壁６５の下部に埋め込まれた構造が採択されることによって，第２維持電極５１ｂと隔壁６５との間に，部分的に強い電場が形成される放電空間６９ａが形成される。
【００４４】
したがって，第１実施形態で説明したように，放電電圧が低くなると同時に発光効率が向上するＰＤＰが製造できる。すなわち，強い電場が形成される放電空間６９ａでは，低いアドレス電圧によっても容易にアドレス放電が開始され，放電空間６９ｂでは，高効率のガス放電が誘導されるために，発光効率が向上する。
【００４５】
上記のように，アドレス電極の長手方向に伸びた一側端部が，隔壁と背面基板との間に形成されることによって，アドレス電極と維持電極との間に部分的に狭い放電空間が形成され，この狭い放電空間で強い電場が得られる。したがって，アドレス電圧が低くなり，かつ発光効率が向上する。
【００４６】
以上，添付図面を参照しながら本発明の好適な実施形態について説明したが，本発明はかかる例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００４７】
本発明は，ＰＤＰまたは平板ランプなどの技術分野に適用可能である。
【図面の簡単な説明】
【００４８】
【図１】従来の反射型ＰＤＰの概略的な斜視図である。
【図２】図１に図示された反射型ＰＤＰの内部構造を示す垂直断面図である。
【図３】本発明の第１実施形態による反射型ＰＤＰの斜視図である。
【図４】図３における誘電体層間の離隔空間の形状を示す前面基板の斜視図である。
【図５】本発明の第２実施形態による反射型ＰＤＰの斜視図である。
【図６】図５における誘電体層間の離隔空間の形状を示す前面基板の斜視図である。
【図７】本発明の第３実施形態による反射型ＰＤＰの内部構造を示す垂直断面図である。
【図８】本発明の第４実施形態による反射型ＰＤＰの内部構造を示す垂直断面図である。
【符号の説明】
【００４９】
１０      前面基板
１１ａ，１１ｂ      維持電極対
１２ａ，１２ｂ      バス電極対
１３      第１誘電体層
１４      保護層
２０      背面基板
２１      アドレス電極
２３      第２誘電体層
２４      隔壁
２５      蛍光体層
２８      放電空間
３０      前面基板
３１ａ      第１維持電極
３１ｂ      第２維持電極
３２ａ      第１誘電体層
３２ｂ      第２誘電体層
３３ａ      第１誘電体層
３３ｂ      第２誘電体層
３５ａ      第１離隔空間
３５ｂ      第２離隔空間
４０      背面基板
４１      アドレス電極
４３      第３誘電体層
４４      隔壁
４５      蛍光体層
４８      放電空間
５０      前面基板
５１ａ      第１維持電極
５１ｂ      第２維持電極
５３      第１誘電体層
６０      背面基板
６１      アドレス電極
６２      アドレス電極
６３      第３誘電体層
６４      第４誘電体層
６５      隔壁
６６      蛍光体層
６７      リッジ部
６８ａ      第１放電空間
６８ｂ      第２放電空間
６９ａ      第１放電空間
６９ｂ      第２放電空間
【図１】
2006049314.tif 000003
【図２】
2006049314.tif 000004
【図３】
2006049314.tif 000005
【図４】
2006049314.tif 000006
【図５】
2006049314.tif 000007
【図６】
2006049314.tif 000008
【図７】
2006049314.tif 000009
【図８】
2006049314.tif 000010